(57)【特許請求の範囲】
【請求項１】
カードに印刷するためのインクジェットプリンタにおいて、
熱可塑性材料製のカード（１１）にインクジェット印刷をするための印刷ステーション（５０）であって、前記印刷ステーション（５０）は、インクを収容するリザーバ（５２）に結合される少なくともプリントヘッド（５１）を備え、前記インクは、低沸点の有機溶媒からなる媒体、高沸点の有機溶媒からなる補助溶媒、および前記媒体に溶解する着色成分を含有する、印刷ステーション（５０）と、
前記カード（１１）を支持するようになされている支持キャリッジ（４０）であって、前記キャリッジ（４０）が前記プリントヘッド（５１）に面さない第１の位置（Ｐ１）と、前記キャリッジが前記プリントヘッド（５１）に面する第２の位置（Ｐ２）との間で駆動可能であるキャリッジ（４０）と、
前記第１の位置（Ｐ１）と前記第２の位置（Ｐ２）との間で前記キャリッジ（４０）を移動させるための、前記キャリッジ（４０）に作用する駆動モータ（ＤＭ）と、
前記キャリッジ（４０）のためのガイド部材（４１）であって、前記キャリッジ（４０）が、前記第１の位置（Ｐ１）と前記第２の位置（Ｐ２）との間で前記ガイド部材（４１）に沿って移動可能である、ガイド部材（４１）と、
前記ガイド部材（４１）に関連した１つまたは複数の基準部材（ＲＭ）であって、前記ガイド部材（４１）は、前記プリントヘッドによって射出されるインクが、前記基準部材（ＲＭ）に到達するのを防ぐように前記プリントヘッド（５１）と前記１つまたは複数の基準部材（ＲＭ）との間に介在される、１つまたは複数の基準部材（ＲＭ）と、
前記キャリッジ（４０）に取り付けられる検出装置（ＤＤ）であって、前記１つまたは複数の基準部材（ＲＭ）を検出し、対応する主信号（ＭＳ）を発生させるようになされ
ている検出装置（ＤＤ）と、
前記主信号（ＭＳ）を受け取り、前記主信号（ＭＳ）に従って前記駆動モータ（ＤＭ）を調節する前記検出装置（ＤＤ）に接続された制御ユニット（Ｕ）と
を備えた、カードに印刷するためのインクジェットプリンタ。
【請求項２】
前記１つまたは複数の基準部材（ＲＭ）は、前記ガイド部材（４１）に沿って配置された目盛り付きの細長い要素（４０ａ）を備え、前記検出装置（ＤＤ）は、前記細長い要素（４０ａ）に設けられた目盛り付けを検出するようになされている、請求項１に記載のプリンタ。
【請求項３】
前記キャリッジ（４０）は、前記ガイド部材（４１）にスライド可能に取り付けられた、請求項１または２に記載のプリンタ。
【請求項４】
前記キャリッジ（４０）は、前記カード（１１）が載置される板状要素（４８）を含む、請求項１乃至３のいずれか一項に記載のプリンタ。
【請求項５】
前記板状要素（４８）は、少なくとも前記キャリッジ（４０）がその第２の位置（Ｐ２）にあるとき、前記ガイド部材（４１）に平行である、請求項４に記載のプリンタ。
【請求項６】
前記検出装置（ＤＤ）は、前記板状要素（４８）の端部に取り付けられた板状支持体（ＰＬＳ）に取り付けられる、請求項４または５に記載のプリンタ。
【請求項７】
前記板状支持体（ＰＬＳ）は、前記板状要素（４８）を横切る、請求項６に記載のプリンタ。
【請求項８】
前記板状支持体（ＰＬＳ）は、前記キャリッジ（４０）の移動方向に平行である、請求項６又は７に記載のプリンタ。
【請求項９】
前記カードは、熱可塑性材料を含む、請求項１乃至８のいずれか一項に記載のプリンタ。
【請求項１０】
前記熱可塑性材料は、ポリ塩化ビニル、無機充填剤で満たされたポリ塩化ビニル、ラミネートポリ塩化ビニル、アクリロニトリル・ブタジエン・スチレン・ターポリマー、ポリエチレンテレフタレート、ポリ乳酸からなる群の中で選択される、請求項９に記載のプリンタ。
【請求項１１】
前記カード（１１）は、平面視で長方形形状を有する板状の形状を有し、前記長方形形状は、より大きい辺およびより小さい辺を有する、請求項１乃至１０のいずれか一項に記載のプリンタ。
【請求項１２】
前記媒体は、１２０℃より低い沸騰温度を有する、請求項１乃至１１のいずれか一項に記載のプリンタ。
【請求項１３】
前記媒体は、アルコール類の群の中で選択される、請求項１乃至１２のいずれか一項に記載のプリンタ。
【請求項１４】
前記補助溶媒は、１２０℃より高い沸騰温度を有する、請求項１乃至１３のいずれか一項に記載のプリンタ。
【請求項１５】
前記補助溶媒は、プラスチック材料を溶かす、又は、膨潤させることができるものである、請求項１乃至１４のいずれか一項に記載のプリンタ。
【発明の詳細な説明】
【技術分野】
【０００１】
本発明は、カードに印刷するためのインクジェットプリンタに関する。
特に、本発明は、例えば、クレジットカード、スマートカード、磁気カード等などのプラスチック材料で作製されたカードに印刷するために使用することができる。
【背景技術】
【０００２】
知られているように、通常、これらのカードは、使用者がカードの目的を識別し、各カードを他のカードと区別するのに役立つ署名、イメージ、商標が記載される。
そのようなカードを印刷するために、出願人は、低沸点の有機溶媒からなる媒体、高沸点の有機溶媒からなる補助溶媒、および媒体に溶解する着色成分を含有する特定のインクを用いることができることを見出した。
【０００３】
出願人は、プリンタの電気機械式／電子式機器にとっては、これらのインクが、その腐食性により危険であり得ることも検証した。特に、プリンタは、そのプリンタ内で印刷されるカードを移動させるようになされている支持キャリッジを備えることができる。より詳細には、キャリッジは、抜き取りステーションによってカード保管区域からカードを受け取り、そのようなカードを印刷ステーションに運び、カードが、インクジェット印刷される。次いで、キャリッジは、カードを排出ステーションに持っていくために使用することもでき、そこでカードは、プリンタから離れるように移動され、適切な容器に受け入れられる。
【０００４】
出願人は、上記インクの腐食作用を特に受け得るプリンタの一部が、カードを支持および移動するために使用される電気機械式／電子式機器、すなわち、カードの移動のためにそこに作用する前述のキャリッジおよび（１つまたは複数の）装置であることに気付いている。
【発明の概要】
【発明が解決しようとする課題】
【０００５】
上記の点から見て、本発明の目的は、そのプリンタの部品を損傷させることなく、および／またはその正しい働きを妨げることなく、印刷動作を適切に行うことができるカードに印刷するためのインクジェットプリンタを提供することである。
【０００６】
本発明の別の目的は、構造を損傷することなく、および／またはカードを移動させるために用いられる電気機械式／電子式機器の正しい働きを損なうことなく、印刷されるカードを移動し、その上にインクを射出することができるカードに印刷するためのインクジェットプリンタを提供することである。
【０００７】
これらおよび他の目的は、本明細書に添付された特許請求の範囲によるカードに印刷するためのインクジェットプリンタによって実現される。
さらなる特徴および利点は、本発明の非排他的な好ましい実施形態の説明から明らかになろう。
【０００８】
本説明は、添付図面を参照して以下に与えられる。
【図面の簡単な説明】
【０００９】
【図１】本発明によるプリンタの概略斜視図である。
【図２】図１のプリンタの一部の概略斜視図である。
【図３】図２の一部の異なる概略斜視図である。
【図４】請求項１のプリンタの可能な動作構成を示す概略図である。
【図５】図１のプリンタの一部の概略斜視図である。
【図６】図５のプリンタの一部の部分断面図である。
【発明を実施するための形態】
【００１０】
添付図面において、参照符号１は、本発明によるインクジェットプリンタを示す。
プリンタ１は、クレジットカード、スマートカード、磁気カード等のようなカードに対するインクジェット印刷に適している。
【００１１】
好ましくは、プリンタ１（図１）は、１つまたは複数のカードが保管される保管区域１０を備える。
好ましくは、カードは、熱可塑性材料で構成または作製される。
【００１２】
特に、熱可塑性材料は、ポリ塩化ビニル（ＰＶＣ）、無機充填剤で満たされたポリ塩化ビニル（ＰＶＣ）、ラミネートポリ塩化ビニル（ＰＶＣ）、アクリロニトリル・ブタジエン・スチレン（ＡＢＳ）ターポリマー、ポリエチレンテレフタレート（ＰＥＴ）、グリコール変性ポリエチレンテレフタレート（ＰＥＴ−Ｇ）、ポリ乳酸（ＰＬＡ）からなる群の中で選択することができる。
【００１３】
ラミネートポリ塩化ビニルは、無機充填剤で満たされたポリ塩化ビニルの中央層、および中央層のそれぞれの表面ごとに施された一対の透明ポリ塩化ビニルフィルムによって形成される。
【００１４】
好ましくは、カードは、平面視で実質的に長方形形状を有する実質的に板状の形状を有し、この長方形形状は、より大きい辺およびより小さい辺を有する。
好ましくは、より大きい辺は、８０ｍｍから９０ｍｍの間に含まれる長さ、特に８５．７ｍｍに実質的に等しい長さを有する。
【００１５】
好ましくは、より小さい辺は、５０ｍｍから６０ｍｍの間に含まれる長さ、特に５４ｍｍに実質的に等しい長さを有する。
好ましくは、板状の形状は、０．４ｍｍから０．８ｍｍの間、特に０．５ｍｍから０．７６ｍｍの間に含まれる厚さを有する。
【００１６】
好ましくは、カードの寸法は、ＩＳＯ７８１０の規格、および／またはＣＲ８０の規格に従っている。
好ましくは、プリンタ１は、保管区域１０からカード１１を抜き取るようになされている抜き取りステーション２０またはピッキングステーションを含む。
【００１７】
抜き取りステーション２０は、保管区域１０から１回に１枚のカードを取り出し、そのカードを支持キャリッジ４０に置く。
キャリッジ４０は、少なくとも第１の位置Ｐ１と第２の位置Ｐ２との間で駆動可能である（図４）。
【００１８】
第１の位置Ｐ１と第２の位置Ｐ２との間で移動するために、キャリッジ４０は、経路Ｐに従う。好ましくは、経路Ｐは、実質的に直線である。
好ましくは、第１の位置Ｐ１は、抜き取りステーション２０の近くであり、カードは、保管区域１０からキャリッジ４０へ適切に移送できるようになっている。第２の位置Ｐ２では、キャリッジ４０は、以下により詳細に説明される印刷ステーション５０のプリントヘッド５１に面する。
【００１９】
キャリッジ４０がその第１の位置Ｐ１にあるとき、キャリッジ４０は、前述のプリントヘッド５１に面さず、すなわち、キャリッジ４０がそのような位置にあるときには、印刷ステップは実行されない。
【００２０】
印刷ステーション５０（図１）は、カード１１にインクジェット印刷をするための少なくとも１つのインクジェットプリントヘッド５１を備える。
プリントヘッド５１は、インクを収容するリザーバ５２に少なくとも結合され、このインクは、
−  低沸点の有機溶媒からなる媒体または媒剤、
−  高沸点の有機溶媒からなる補助溶媒、
−  媒体に溶解する着色成分
を含有する。
【００２１】
好ましくは、媒剤は、１２０℃より低い、特に８０℃より低い沸騰温度を有する。
好ましくは、媒剤は、アルコール類の群の中で選択される。
例えば、媒剤は、エタノール、ｎ−プロパノール、ｎ−ブタノールであってもよい。
【００２２】
媒剤は、インクの様々な成分を溶かし、インクバブルの形成を持続するという役目がある。
好ましくは、補助溶媒は、１２０℃より高い、特に１５０℃より高い沸騰温度を有する。
【００２３】
好ましくは、補助溶媒は、プラスチック材料、特にカードを作製する熱可塑性材料を溶かすまたは膨潤させることができる。
好ましくは、補助溶媒は、媒剤に溶解する。
【００２４】
例えば、補助溶媒は、Ｎ−メチル−２−ピロリドン、Ｎ−エチル−２−ピロリドン、１，３−ジメチル−イミダゾリジノン、ε−カプロラクトン、γ＿ブチロラクトン、グリコールエーテルのようなもの、エチレングリコールモノメチルエーテル、ジエチレングリコールモノブチルエーテル、トリエチレングリコールモノメチルエーテル、エステルのようなもの、乳酸エチル、酢酸エチル、またはそれらの混合物からなる群の中で選択することができる。
【００２５】
好ましくは、着色成分は、媒剤に溶解する。
好ましくは、この分脈および以下の特許請求の範囲では、用語「溶解する」は、少なくとも１０％ｗ／ｗの媒剤の溶解性を示す。
【００２６】
好ましくは、着色成分は、染料インデックス用語（Ｃｏｌｏｕｒ  Ｉｎｄｅｘ  ｔｅｒｍｉｎｏｌｏｇｙ）に従っていわゆる溶媒ファミリー（Ｓｏｌｖｅｎｔ  ｆａｍｉｌｙ）に属する。
【００２７】
好ましくは、着色成分は、カードと一体になり、最適な印刷を得るように、カードを作製するプラスチック材料に溶けることができる物質である。
例えば、着色成分は、ソルベントブラック２９、ソルベントブラック２７、ソルベントブルー６７、ソルベントブルー４４、ソルベントブルー７０、ソルベントイエロー８２、ソルベントイエロー８８、ソルベントレッド１２５、ソルベントレッド１２２からなる群の中で選択することができる。
【００２８】
好ましくは、インクは、カード上でのインクの分布の均一性を改善するために、例えば、均染剤などの１つまたは複数の添加剤も含む。
例えば、そのような添加剤には、シリコン誘導体を含み得る。
【００２９】
図１に概略的に示される好ましい実施形態では、プリントヘッド５１は、２つのリザーバ５２を備える。
印刷ステーション５０は、予め設定された経路に沿ってプリントヘッド５１を前後に移動させるようになされた駆動系（図示せず）を含み、それによってプリントヘッド５１は、適切に構成された調節ユニットによって調整される一連のステップ中に、カード１１にインクを射出することができる。
【００３０】
好ましくは、プリントヘッド５１は、支持プレート５３にスライド可能に取り付けられる。好ましい実施形態では、支持プレート５３は、キャリッジ４０の経路Ｐを横切り、特にキャリッジ４０の経路Ｐに垂直である。
【００３１】
好ましくは、キャリッジ４０は、ガイド部材、典型的にはガイドプレート４１によって案内される。特に、キャリッジ４０は、ガイドプレート４１にスライド可能に取り付けることができる。
【００３２】
好ましくは、ガイドプレート４１は、互いに反対の第１の端部４１ａおよび第２の端部４１ｂを有す。
好ましくは、キャリッジ４０の第１の位置Ｐ１は、ガイドプレート４１の第１の端部４１ａで定められる。
【００３３】
キャリッジ４０をその第１の位置Ｐ１と第２の位置Ｐ２との間で移動するために、プリンタ１は、駆動モータＤＭを備える。
好ましくは、駆動モータＤＭは、プリンタ１のフレーム２に取り付けられ、プリンタ１のフレーム２と一体である。
【００３４】
好ましくは、駆動モータＤＭは、ガイドプレート４１の端部４１ａ、４１ｂに取り付けられる。
図５および図６に概略的に示される実施形態では、駆動モータＤＭは、ガイドプレート４１の第２の端部４１ｂに取り付けられる。
【００３５】
好ましくは、駆動モータＤＭは、主滑車４０ｂおよびベルト４０ｃを含む機構によってキャリッジ４０に接続される。滑車４０ｂは、モータ出力軸ＤＭ’に圧力嵌めされる。ベルト４０ｃは、滑車４０ｂに係合され、キャリッジ４０上へ固定される。
【００３６】
キャリッジ４０は、ガイドプレート４１にスライド可能に取り付けられる弾性部材４０ｄの作用も受ける。
好ましくは、弾性部材４０ｄは、補助滑車４０ｅおよびばね４０ｆを備える。補助滑車４０ｅは、ベルト４０ｃに係合される。ばね４０ｆは、ガイドプレート４１に係合される第１の端部と、支持部材４０ｇを介して補助滑車４０ｅに係合される第１の端部とは反対の第２の端部とを有する。
【００３７】
弾性部材４０ｄは、キャリッジ４０の移動方向（すなわち、経路Ｐの方向）に沿って作用し、駆動モータＤＭと協働して、キャリッジ４０の移動を規定するのに寄与する。
プリンタ１は、ガイドプレート４１に関連した１つまたは複数の基準部材ＲＭをさらに備える。
【００３８】
好ましくは、１つまたは複数の基準部材は、ガイドプレート４１に沿って配置される目盛り付きの細長い要素４０ａを備える。
好ましくは、細長い要素４０ａは、プラスチック材料で作製される。
【００３９】
好ましい実施形態では、目盛り付きの細長い要素４０ａは、目盛り付きの棒である。
細長い要素４０ａ上の目盛り付けは、インクの付着および／または材料の付着もしくは除去によって実現することができる。
【００４０】
例えば、目盛り付けは、互いから等距離の複数の印からなり得る。連続する２つの印の間の距離は、例えば、１６９μｍ（１／１５０インチ）から７０．６μｍ（１／３６０インチ）の間で構成され得る。
【００４１】
有利には、ガイドプレート４１は、プリントヘッド５１と１つまたは複数の基準部材ＲＭとの間に介在される。
実際には、１つまたは複数の基準部材ＲＭは、ガイドプレート４１が、プリントヘッド５１により射出されるインクがその基準部材ＲＭに到達するのを防ぐように配置される。
【００４２】
基準部材ＲＭは、明確化のために図６に示されるに過ぎず、実際には、基準部材は、図６に使用されるものとは反対の視点から見えるように配置できることが好ましいことに留意されたい。より具体的には、目盛り付きの棒４０ａ上の目盛り付けは、図６に示されるものに対して、そのような棒の反対側に設けられてもよい。
【００４３】
プリンタ１は、キャリッジ４０に取り付けられる検出装置ＤＤをさらに備える（図２、図３、図５および図６）。
検出装置ＤＤは、１つまたは複数の基準部材ＲＭを検出し、対応する主信号ＭＳを発生させるようになされる。好ましくは、主信号ＭＳは電気信号である。
【００４４】
特に、検出装置ＤＤは、細長い要素４０ａに設けられた目盛り付けを検出するようになされている。
好ましくは、検出装置ＤＤは、光検出器を備える。
【００４５】
主信号ＭＳは、主信号ＭＳに従って駆動モータＤＭを調節、したがってキャリッジ４０の移動を調節するために構成される制御ユニットＵに伝達される。
実際には、検出装置ＤＤと１つまたは複数の基準部材ＲＭとの間の協働によって、キャリッジ４０の現在の位置を知ることが可能である。そのような現在の位置の関数として、制御ユニットＵは、駆動モータＭを調節し、それによってキャリッジ４０は、プリンタ１により実行されるプロセス中に行われるステップによって必要とされる位置に配置することができる。
【００４６】
一実施形態では、主信号ＭＳは、検出装置ＤＤによって検出される印ごとに簡単な知らせを含むことができる。
制御ユニットＵは、そのような知らせを処理することによって、キャリッジ４０の現在の位置を決定し、それに応じて駆動モータＤＭを制御することができる。
【００４７】
別の実施形態では、検出装置ＤＤは、検出した印の関数として、キャリッジ４０の位置を自律的に決定するようになされている。この場合、主信号ＭＳは、キャリッジ４０の現在の位置を直接表し、制御ユニットＵは、キャリッジ４０の位置を決定するための実質的な追加の処理を行う必要はない。
【００４８】
好ましくは、キャリッジ４０は、カード１１が載置される板状要素４８を備える（図２、図３、図５および図６）。
好ましくは、板状要素４８は、少なくともキャリッジがその第２の位置Ｐ２にあるとき、ガイドプレート４１に実質的に平行である。
【００４９】
好ましくは、板状要素４８は、平面視で、カード１１の形状と同様の形状を有する。
例えば、板状要素４８は、７５ｍｍから８５ｍｍの間に含まれる、特に８０ｍｍに実質的に等しいより大きい辺と、４５ｍｍから５５ｍｍの間に含まれる、特に５０ｍｍに実質的に等しいより小さい辺とを有する実質的に長方形形状を有し得る。
【００５０】
カード１１は、板状要素４８より大きいことが好ましいことに留意されたい。したがって、板状要素４８はカード１１によって遮蔽されるので、プリントヘッド５１によって射出されるインクは、板状要素４８に到達しない。この特徴は、実際には、プリントヘッド５１によって射出されるインクとの相互作用によって損傷を受ける板状要素４８が、カード１１を加熱するための加熱手段を含むプリント回路基板（ＰＣＢ）であり得るという点で利点を実現する。
【００５１】
好ましくは、キャリッジ４０は、板状要素４８の端部に取り付けられた板状支持体ＰＬＳを備える。
特に、板状要素４８が長方形形状を有する場合、板状支持体ＰＬＳは、そのような長方形形状のより短い辺の一方に取り付けられる。
【００５２】
好ましくは、板状支持体ＰＬＳは、板状要素４８を横切り、より好ましくは板状要素４８に垂直である。
好ましくは、板状支持体ＰＬＳは、キャリッジ４０の移動方向、すなわち、経路Ｐの方向に実質的に平行である。
【００５３】
実際には、板状要素４８および板状支持体ＰＬＳは、キャリッジ４０に含まれる「Ｌ」形構造を形成する。
好ましくは、検出装置ＤＤは、板状支持体ＰＬＳに取り付けられる。好ましい実施形態では、板状支持体ＰＬＳは、検出装置ＤＤを含む回路が配置される基板（ＰＣＢ）である。
【００５４】
好ましくは、キャリッジ４０は、第３の位置Ｐ３にも移動可能である（図４）。第３の位置Ｐ３は、実質的にガイドプレート５１の第２の端部４１ｂにある。したがって、好ましくは、第２の位置Ｐ２は、経路Ｐに沿って第１の位置Ｐ１と第３の位置Ｐ３との間に介在される。
【００５５】
キャリッジ４０が第３の位置Ｐ３にあるとき、カード１１は、排出ステーション６０の操作を受けることができる。排出ステーションは、キャリッジ４０から離れるようにカード１１を移動させる、好ましくは、カード１１を容器６３の中に入れるように構成される。
【００５６】
本発明は、重要な利点を実現する。
実際に、本発明によるプリンタは、そのプリンタの部品を損傷することなく、および／またはその正しい働きを妨げることなく、印刷動作を適切に行うことができる。
【００５７】
別の利点は、構造を損傷することなく、および／またはカードを移動させるために用いられる電気機械式／電子式機器の正しい働きを損なうことなく、本発明によるプリンタは、印刷されるカードを移動し、その上にインクを射出することができるということにある。
（参考発明１）
カードに印刷するためのインクジェットプリンタにおいて、
熱可塑性材料製のカード（１１）にインクジェット印刷をするための印刷ステーション（５０）であって、前記印刷ステーション（５０）は、インクを収容するリザーバ（５２）に結合される少なくともプリントヘッド（５１）を備え、前記インクは、低沸点の有機溶媒からなる媒体、高沸点の有機溶媒からなる補助溶媒、および前記媒体に溶解する着色成分を含有する、印刷ステーション（５０）と、
前記カード（１１）を支持するようになされている支持キャリッジ（４０）であって、前記キャリッジ（４０）が前記プリントヘッド（５１）に面さない第１の位置（Ｐ１）と、前記キャリッジが前記プリントヘッド（５１）に面する第２の位置（Ｐ２）との間で駆動可能であるキャリッジ（４０）と、
前記第１の位置（Ｐ１）と前記第２の位置（Ｐ２）との間で前記キャリッジ（４０）を移動させるための、前記キャリッジ（４０）に作用する駆動モータ（ＤＭ）と、
前記キャリッジ（４０）のためのガイド部材（４１）であって、前記キャリッジ（４０）が、前記第１の位置（Ｐ１）と前記第２の位置（Ｐ２）との間で前記ガイド部材（４１）に沿って移動可能である、ガイド部材（４１）と、
前記ガイド部材（４１）に関連した１つまたは複数の基準部材（ＲＭ）であって、前記ガイド部材（４１）は、前記プリントヘッドによって射出されるインクが、前記基準部材（ＲＭ）に到達するのを防ぐように前記プリントヘッド（５１）と前記１つまたは複数の基準部材（ＲＭ）との間に介在される、１つまたは複数の基準部材（ＲＭ）と、
前記キャリッジ（４０）に取り付けられる検出装置（ＤＤ）であって、前記１つまたは複数の基準部材（ＲＭ）を検出し、対応する主信号（ＭＳ）を発生させるようになされている検出装置（ＤＤ）と、
前記主信号（ＭＳ）を受け取り、前記主信号（ＭＳ）に従って前記駆動モータ（ＤＭ）を調節する前記検出装置（ＤＤ）に接続された制御ユニット（Ｕ）と
を備えた、カードに印刷するためのインクジェットプリンタ。
（参考発明２）
前記１つまたは複数の基準部材（ＲＭ）は、前記ガイド部材（４１）に沿って配置された目盛り付きの細長い要素（４０ａ）を備え、前記検出装置（ＤＤ）は、前記細長い要素（４０ａ）に設けられた目盛り付けを検出するようになされている、参考発明１に記載のプリンタ。
（参考発明３）
前記細長い要素（４０ａ）は、目盛り付きの棒である、参考発明２に記載のプリンタ。
（参考発明４）
前記キャリッジ（４０）は、前記ガイド部材（４１）にスライド可能に取り付けられた、参考発明１乃至３のいずれか一項に記載のプリンタ。
（参考発明５）
前記キャリッジ（４０）は、前記カード（１１）が載置される板状要素（４８）を含む、参考発明１乃至４のいずれか一項に記載のプリンタ。
（参考発明６）
前記板状要素（４８）は、少なくとも前記キャリッジ（４０）がその第２の位置（Ｐ２）にあるとき、前記ガイド部材（４１）に実質的に平行である、参考発明５に記載のプリンタ。
（参考発明７）
前記検出装置（ＤＤ）は、前記板状要素（４８）の端部に取り付けられた板状支持体（ＰＬＳ）に取り付けられる、参考発明５または６に記載のプリンタ。
（参考発明８）
前記板状支持体（ＰＬＳ）は、前記板状要素（４８）を横切り、好ましくは前記板状要素（４８）に垂直である、参考発明７に記載のプリンタ。
（参考発明９）
前記板状支持体（ＰＬＳ）は、前記キャリッジ（４０）の移動方向に実質的に平行である、参考発明６乃至８のいずれか一項に記載のプリンタ。
（参考発明１０）
前記カードは、熱可塑性材料を含む、参考発明１乃至９のいずれか一項に記載のプリンタ。
（参考発明１１）
前記熱可塑性材料は、ポリ塩化ビニル、無機充填剤で満たされたポリ塩化ビニル、ラミネートポリ塩化ビニル、アクリロニトリル・ブタジエン・スチレン・ターポリマー、ポリエチレンテレフタレート、ポリ乳酸からなる群の中で選択される、参考発明１０に記載のプリンタ。
（参考発明１２）
前記カード（１１）は、平面視で実質的に長方形形状を有する実質的に板状の形状を有し、前記長方形形状は、より大きい辺およびより小さい辺を有する、参考発明１乃至１１のいずれか一項に記載のプリンタ。
（参考発明１３）
前記より大きい辺は、８０ｍｍから９０ｍｍの間に含まれる長さを有する、参考発明１２に記載のプリンタ。
（参考発明１４）
前記より小さい辺は、５０ｍｍから６０ｍｍの間に含まれる長さを有する、参考発明１２または１３に記載のプリンタ。
（参考発明１５）
前記板状の形状は、０．４ｍｍから０．８ｍｍの間、特に０．５ｍｍから０．７６ｍｍの間に含まれる厚さを有する、参考発明１２乃至１４のいずれか一項に記載のプリンタ。
（参考発明１６）
前記媒体は、１２０℃より低い、好ましくは８０℃より低い沸騰温度を有する、参考発明１乃至１５のいずれか一項に記載のプリンタ。
（参考発明１７）
前記媒体は、アルコール類の群の中で選択される、参考発明１乃至１６のいずれか一項に記載のプリンタ。
（参考発明１８）
前記補助溶媒は、１２０℃より高い、好ましくは１５０℃より高い沸騰温度を有する、参考発明１乃至１７のいずれか一項に記載のプリンタ。
（参考発明１９）
前記補助溶媒は、プラスチック材料に適合する、参考発明１乃至１８のいずれか一項に記載のプリンタ。
【図１】
0005884141.tif 000002
【図２】
0005884141.tif 000003
【図３】
0005884141.tif 000004
【図４】
0005884141.tif 000005
【図５】
0005884141.tif 000006
【図６】
0005884141.tif 000007